【手続補正書】
【提出日】平成18年8月22日(2006.8.22)
【手続補正１】
【補正対象書類名】明細書
【補正対象項目名】発明の名称
【補正方法】変更
【補正の内容】
【発明の名称】集光性ホログラムのアレー及びホログラムカラーフィルターの検査方法
【手続補正２】
【補正対象書類名】明細書
【補正対象項目名】特許請求の範囲
【補正方法】変更
【補正の内容】
【特許請求の範囲】
【請求項１】  白色光を回折によって波長分散する集光性ホログラムのアレーの検査方法において、白色光を所定角度で入射させ、回折して出射する１次光の波長分布を求めることにより、集光性ホログラムが所定の光学特性を有するか否かを検査することを特徴とする集光性ホログラムのアレーの検査方法。
【請求項２】  白色光を回折によって波長分散する集光性ホログラムのアレーの検査方法において、入射させる白色光中あるいは回折光中に複数の異なるバンドパス光学フィルターを交互に挿入して所定角度で白色光を入射させ、回折して出射する１次光の強度を前記の複数のバンドパス光学フィルター毎に測定することにより、集光性ホログラムが所定の光学特性を有するか否かを検査することを特徴とする集光性ホログラムのアレーの検査方法。
【請求項３】  白色光を回折によって波長分散する集光性ホログラムのアレーの検査方法において、白色光を所定角度で入射させ、回折して出射する１次光の色度を求めることにより、集光性ホログラムが所定の光学特性を有するか否かを検査することを特徴とする集光性ホログラムのアレーの検査方法。
【請求項４】  白色光を回折によって色分解する集光性ホログラムのアレーからなるホログラムカラーフィルターの検査方法において、白色光を所定角度で入射させ、回折して出射する１次光の波長分布を求めることにより、ホログラムカラーフィルターが所定の光学特性を有するか否かを検査することを特徴とするホログラムカラーフィルターの検査方法。
【請求項５】  白色光を回折によって色分解する集光性ホログラムのアレーからなるホログラムカラーフィルターの検査方法において、入射させる白色光中あるいは回折光中に複数の異なるバンドパス光学フィルターを交互に挿入して所定角度で白色光を入射させ、回折して出射する１次光の強度を前記の複数のバンドパス光学フィルター毎に測定することにより、ホログラムカラーフィルターが所定の光学特性を有するか否かを検査することを特徴とするホログラムカラーフィルターの検査方法。
【請求項６】  白色光を回折によって色分解する集光性ホログラムのアレーからなるホログラムカラーフィルターの検査方法において、白色光を所定角度で入射させ、回折して出射する１次光の色度を求めることにより、ホログラムカラーフィルターが所定の光学特性を有するか否かを検査することを特徴とするホログラムカラーフィルターの検査方法。
【請求項７】  前記の回折して出射する１次光の色度を、色彩輝度計を用いて測定することを特徴とする請求項６記載のホログラムカラーフィルターの検査方法。
【請求項８】  入射させる白色光中あるいは回折光中に、スペクトル３刺激値ｘ’（λ）、ｙ’（λ）、ｚ’（λ）に対応する３種類の透過率分光特性の色フィルターを交互に挿入して所定角度で白色光を入射させ、回折して出射する１次光の強度を前記の３種類の透過率分光特性の色フィルター毎に測定することにより、ＣＩＥ表示系における３刺激値Ｘ、Ｙ、Ｚを求め、その３刺激値Ｘ、Ｙ、Ｚから、前記の回折して出射する１次光の色度を測定することを特徴とする請求項６記載のホログラムカラーフィルターの検査方法。
【手続補正３】
【補正対象書類名】明細書
【補正対象項目名】０００１
【補正方法】変更
【補正の内容】
【０００１】  
【発明の属する技術分野】
本発明は、集光性ホログラムのアレー及びホログラムカラーフィルターの検査方法に関し、特に、製造工程等においてホログラムカラーフィルターが所定の光学特性を有するか否かを簡単な装置で短時間に検査することができる検査方法に関するものである。
【手続補正４】
【補正対象書類名】明細書
【補正対象項目名】０００７
【補正方法】変更
【補正の内容】
【０００７】
本発明は従来技術のこのような問題点に鑑みてなされたものであり、その目的は、製造工程等において集光性ホログラムのアレー及びホログラムカラーフィルターが所定の光学特性を有するか否かを簡単な装置で短時間に検査することができる検査方法を提供することである。
【手続補正５】
【補正対象書類名】明細書
【補正対象項目名】０００８
【補正方法】変更
【補正の内容】
【０００８】  
【課題を解決するための手段】
上記目的を達成する本発明の集光性ホログラムのアレーの検査方法は、白色光を回折によって波長分散する集光性ホログラムのアレーの検査方法において、白色光を所定角度で入射させ、回折して出射する１次光の波長分布を求めることにより、集光性ホログラムが所定の光学特性を有するか否かを検査することを特徴とする方法である。
本発明の集光性ホログラムのアレーのもう１つの検査方法は、白色光を回折によって波長分散する集光性ホログラムのアレーの検査方法において、入射させる白色光中あるいは回折光中に複数の異なるバンドパス光学フィルターを交互に挿入して所定角度で白色光を入射させ、回折して出射する１次光の強度を前記の複数のバンドパス光学フィルター毎に測定することにより、集光性ホログラムが所定の光学特性を有するか否かを検査することを特徴とする方法である。
本発明の集光性ホログラムのアレーさらにもう１つの検査方法は、白色光を回折によって波長分散する集光性ホログラムのアレーの検査方法において、白色光を所定角度で入射させ、回折して出射する１次光の色度を求めることにより、集光性ホログラムが所定の光学特性を有するか否かを検査することを特徴とする方法である。
本発明のホログラムカラーフィルターの検査方法は、白色光を回折によって色分解する集光性ホログラムのアレーからなるホログラムカラーフィルターの検査方法において、白色光を所定角度で入射させ、回折して出射する１次光の波長分布を求めることにより、ホログラムカラーフィルターが所定の光学特性を有するか否かを検査することを特徴とする方法である。
【手続補正６】
【補正対象書類名】明細書
【補正対象項目名】００１２
【補正方法】変更
【補正の内容】
【００１２】
本発明においては、白色光を所定角度で入射させ、回折して出射する１次光の波長分布を求めるか、その波長分布をサンプリングして調べるか、あるいは、その１次光の色度を求めることにより、集光性ホログラムのアレーあるいはホログラムカラーフィルターへの入射角を振ることなく、サンプルの集光性ホログラムのアレーあるいはホログラムカラーフィルターが設計通りの光学特性を有するか否かを判定することができ、その光学特性を簡単な装置で短時間に検査することが可能となる。
【手続補正７】
【補正対象書類名】明細書
【補正対象項目名】００１３
【補正方法】変更
【補正の内容】
【００１３】  
【発明の実施の形態】
以下、本発明の集光性ホログラムのアレー及びホログラムカラーフィルターの検査方法の原理と実施例について説明する。
【手続補正８】
【補正対象書類名】明細書
【補正対象項目名】００２７
【補正方法】変更
【補正の内容】
【００２７】  
【発明の効果】
以上の説明から明らかなように、本発明の集光性ホログラムのアレー及びホログラムカラーフィルターの検査方法によると、白色光を所定角度で入射させ、回折して出射する１次光の波長分布を求めるか、その波長分布をサンプリングして調べるか、あるいは、その１次光の色度を求めることにより、集光性ホログラムのアレーあるいはホログラムカラーフィルターへの入射角を振ることなく、サンプルの集光性ホログラムのアレーあるいはホログラムカラーフィルターが設計通りの光学特性を有するか否かを判定することができ、その光学特性を簡単な装置で短時間に検査することが可能となる。